(57)【要約】【課題】交通情報を記憶する記憶媒体の容量が不足することを防ぐ。【解決手段】本発明は、受信した道路交通情報を蓄積する道路交通情報蓄積手段と、道路交通情報蓄積手段に蓄積された道路交通情報のうち、所定の条件を満たす道路交通情報を選択する道路交通情報選択手段と、選択された道路交通情報を道路交通情報蓄積手段から消去する道路交通情報消去手段を有する。【選択図】      図１
2004220287.tif 000002
【特許請求の範囲】
【請求項１】
自動車に搭載され、道路の状況を示す道路交通情報を蓄積して管理する少なくとも１つの道路交通情報管理装置と該道路交通情報の送受信を行う自動車搭載道路状況監視装置であって、
他の自動車搭載道路状況監視装置と前記道路交通情報管理装置とから送信された道路交通情報を受信する道路交通情報受信手段と、
受信した前記道路交通情報を蓄積する道路交通情報蓄積手段と、
監視する位置を示す指定位置情報を指定させる位置情報指定手段と、
前記指定位置情報に基づいて、前記道路交通情報蓄積手段に蓄積された道路交通情報を総合して前記指定位置情報に示される位置の道路の状況を示す道路状況出力情報を生成する道路状況出力情報生成手段と、
前記道路状況出力情報に基づいて前記指定位置情報に示される位置に対応する道路状況情報を出力する道路状況出力手段と、
前記道路交通情報蓄積手段に蓄積された前記道路交通情報のうち、所定の条件を満たす道路交通情報を選択する道路交通情報選択手段と、
選択された道路交通情報を前記道路交通情報蓄積手段から消去する道路交通情報消去手段と、
前記自動車の位置を測定して、該自動車の位置を示す自動車位置情報を生成する位置情報生成手段と、
前記自動車位置情報に基づいて、前記自動車が位置する道路の状況を示す道路交通情報を生成する道路交通情報生成手段と、
生成された道路交通情報及び前記道路交通情報受信手段で受信した道路交通情報を他の自動車搭載道路状況監視装置と前記道路交通情報管理装置とに送信する道路交通情報送信手段と、
を有することを特徴とする自動車搭載道路状況監視装置。
【請求項２】
前記道路交通情報は、
前記道路交通情報管理装置及び前記他の自動車搭載道路状況監視装置のうち少なくとも一方から受信した受信回数を示す受信回数情報を含み、
前記道路交通情報受信手段は、
前記道路交通情報を受信した際に、前記受信回数情報を更新する手段を含み、
前記道路交通情報選択手段は、
所定数を超えた受信回数を示す受信回数情報を含んだ道路交通情報を前記道路交通情報蓄積手段の道路交通情報から選択する手段を含む請求項１記載の自動車搭載道路状況監視装置。
【請求項３】
前記道路交通情報生成手段は、
前記道路交通情報を生成する際に、該道路交通情報を生成した時刻を示す生成時刻情報を該道路交通情報に含める手段を含み、
前記道路交通情報選択手段は、
時計を有し、該時計に示される現在時刻から所定時間以前の時刻を示す生成時刻情報を含む道路交通情報を前記道路交通情報蓄積手段の道路交通情報から選択する手段を含む請求項１記載の自動車搭載道路状況監視装置。
【請求項４】
前記道路交通情報受信手段は、
前記道路交通情報を受信した際に、前記位置情報生成手段で生成された自動車位置情報を受信した該道路交通情報に含める手段を含み、
前記道路交通情報選択手段は、
前記位置情報生成手段で生成された前記自動車位置情報に示される位置との間の距離が所定の距離を超える位置を示す自動車位置情報を含む道路交通情報を、前記道路交通情報蓄積手段の道路交通情報から選択する手段を含む請求項１記載の自動車搭載道路状況監視装置。
【請求項５】
前記道路交通情報は、
画像情報、文字情報及び音声情報のうち少なくとも１つの情報を含む付加情報を更に含み、
前記道路交通情報に含まれた前記付加情報を出力する付加情報出力手段を更に有する請求項１乃至４記載の自動車搭載道路状況監視装置。
【請求項６】
前記自動車搭載道路状況管理装置を識別するための識別情報を格納する識別情報格納手段と、
前記道路交通情報に対応させて課金の額を示す課金情報を格納する課金情報格納手段と、
前記道路交通情報送信手段から送信される前記道路交通情報に基づいて前記課金情報格納手段から課金情報を取得する課金情報取得手段と、
前記課金情報取得手段で取得した課金情報に前記識別情報格納手段に格納された識別情報を付加する識別情報付加手段とを、更に有し、
前記道路交通情報送信手段は、
前記道路交通情報を送信する際に、前記識別情報付加手段において識別情報が付加された課金情報を送信する手段を含む請求項１乃至５記載の自動車搭載道路状況監視装置。
【請求項７】
前記道路交通情報の送信元を示す識別情報及び該道路交通情報に対応する課金の額を含む課金情報を格納する被課金情報格納手段と、
前記被課金情報格納手段に格納された課金情報を以て決済処理を行う決済手段とを更に有し、
前記道路交通情報受信手段は、
前記道路交通情報を受信する際に、前記課金情報を併せて受信し、前記被課金情報格納手段に、受信した該課金情報を格納する手段を含む請求項１乃至６記載の自動車搭載道路状況監視装置。
【請求項８】
自動車に搭載されて該自動車が位置する道路の状況を示す道路交通情報を生成する少なくとも１つの自動車搭載道路状況監視装置と該道路交通情報の送受信を行う道路交通情報管理装置であって、
前記自動車搭載道路状況監視装置から送信された道路交通情報を受信する道路交通情報受信手段と、
受信された道路交通情報を蓄積する道路交通情報蓄積手段と、
前記道路交通情報蓄積手段に蓄積された道路交通情報のうち所定の条件を満たす道路交通情報を選択する道路交通情報選択手段と、
選択された道路交通情報を前記道路交通情報蓄積手段から消去する道路交通情報消去手段と、
前記道路交通情報蓄積手段に蓄積された道路交通情報を前記自動車搭載道路状況監視装置に送信する道路交通情報送信手段と、を有することを特徴とする道路交通情報管理装置。
【請求項９】
前記道路交通情報は、
他の道路交通情報管理装置及び前記自動車搭載道路状況監視装置のうち少なくとも一方から受信した受信回数を示す受信回数情報を含み、
前記道路交通情報受信手段は、
前記道路交通情報を受信した際に、前記受信回数情報を更新する手段を含み、
前記道路交通情報選択手段は、
所定数を超えた受信回数を示す受信回数情報を含んだ道路交通情報を前記道路交通情報蓄積手段の道路交通情報から選択する手段を含む請求項８記載の道路交通情報管理装置。
【請求項１０】
前記道路交通情報は、
前記自動車搭載道路状況監視装置で生成された時刻を示す生成時刻情報を含み、
前記道路交通情報選択手段は、
時計を有し、該時計に示される現在時刻から所定時間以前の時刻を示す生成時刻情報を含む道路交通情報を前記道路交通情報蓄積手段の道路交通情報から選択する手段を含む請求項８記載の道路交通情報管理装置。
【請求項１１】
画像情報、文字情報及び音声情報のうち少なくとも１つの情報を含む付加情報を格納する付加情報格納手段と、
前記道路交通情報に前記付加情報格納手段に格納された付加情報を付加する付加情報付加手段と、を有し、
前記道路交通情報送信手段は、
前記付加情報が付加された道路交通情報を送信する手段を含む請求項８乃至１０記載の道路交通情報管理装置。
【請求項１２】
前記道路交通情報管理装置を識別するための識別情報を格納する識別情報格納手段と、
前記道路交通情報に対応させて課金の額を示す課金情報を格納する課金情報格納手段と、
前記道路交通情報送信手段から送信される前記道路交通情報に基づいて、前記課金情報格納手段から課金情報を取得する課金情報取得手段と、
前記課金情報取得手段で取得した課金情報に、前記識別情報格納手段に格納された識別情報を付加する識別情報付加手段と、を更に有し、
前記道路交通情報送信手段は、
前記道路交通情報を送信する際に、前記識別情報付加手段で前記識別情報が付加された課金情報を送信する手段を含む請求項８乃至１１記載の道路交通情報管理装置。
【請求項１３】
前記道路交通情報の送信元を示す識別情報及び該道路交通情報に対応する課金の額を含む課金情報を格納する被課金情報格納手段と、
前記被課金情報格納手段に格納された課金情報を以て決済する決済手段と、を更に有し、
前記道路交通情報受信手段は、
前記道路交通情報を受信する際に、前記課金情報を併せて受信し、前記被課金情報格納手段に受信した該課金情報を格納する手段を含む請求項８乃至１２記載の道路交通情報管理装置。
【発明の詳細な説明】
【０００１】
【発明の属する技術分野】
本発明は、自動車搭載道路状況監視装置及び道路交通情報管理装置に係り、特に、自動車及び道路周辺にそれぞれ設置され、道路の状況を相互に通知するための自動車搭載道路状況監視装置及び道路交通情報管理装置に関する。
【０００２】
【従来の技術】
近年、道路交通情報通信システム（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ  （ＶＩＣＳ））  やアティス交通情報サービス（Ａｄｖａｎｃｅｄ  Ｔｒａｆｆｉｃ  Ｉｎｆｏｒｍａｔｉｏｎ  Ｓｅｒｖｉｃｅ，（ＡＴＩＳ））  等、道路上に設置された計測装置によって通過車両の数や速度を計測し、計測された情報を通信回線を介して情報処理センタに集め、情報処理センタで情報を統合した結果をラジオ放送や道路設置ビーコン等の情報通知手段を介して利用者に通知する技術が実用化されている（例えば、特許文献１参照。）。
【０００３】
また、利用者が車両端末を用いて、情報管理センタが各利用者の車両端末より所定の検索区間についての交通情報を収集し、収集された情報を集計して得た交通情報を利用者に車両端末を介して提供するものもある（例えば、特許文献２参照。）。
【０００４】
【特許文献１】
特開平１１−３３９１８９号公報（段落番号００１８乃至段落番号００２７、図１）
【０００５】
【特許文献２】
特開２００２−２０８０９３号公報（段落番号００１４乃至段落番号００１７、図１乃至図３）
【０００６】
【発明が解決しようとする課題】
しかしながら、前述したような従来の技術では、収集された交通情報が累積的に蓄積的に蓄積されてしまうため、情報を記録する記憶媒体の容量が不足するといった課題が残されている
本発明は、上記の点に鑑みなされたもので、情報を記憶する記憶媒体の容量が不足することを防ぐことができる自動車搭載道路状況監視装置及び道路交通情報管理装置を提供することを目的とする。
【０００７】
【課題を解決するための手段】
図１は、本発明の第１の原理構成図である。
【０００８】
本発明は、自動車に搭載され、道路の状況を示す道路交通情報を蓄積して管理する少なくとも１つの道路交通情報管理装置と道路交通情報の送受信を行う自動車搭載道路状況監視装置であって、
他の自動車搭載道路状況監視装置と道路交通情報管理装置とから送信された道路交通情報を受信する道路交通情報受信手段１１０と、
受信された道路交通情報を蓄積する道路交通情報蓄積手段１１１と、
監視する位置を示す指定位置情報を指定させる位置情報指定手段１１２と、
指定位置情報に基づいて、道路交通情報蓄積手段１１１に蓄積された道路交通情報を総合して指定位置情報に示される位置の道路の状況を示す道路状況出力情報を生成する道路状況出力情報生成手段１１３と、
道路状況出力情報に基づいて指定位置情報に示される位置に対応する道路状況情報を出力する道路状況出力手段１１４と、
道路交通情報蓄積手段１１１に蓄積された道路交通情報のうち、所定の条件を満たす道路交通情報を選択する道路交通情報選択手段１２０と、
選択された道路交通情報を道路交通情報蓄積手段から消去する道路交通情報消去手段１２１と、
自動車の位置を測定して、自動車の位置を示す自動車位置情報を生成する位置情報生成手段１３０と、
自動車位置情報に基づいて、自動車が位置する道路の状況を示す道路交通情報を生成する道路交通情報生成手段１３１と、
生成された道路交通情報及び道路交通情報受信手段１１０で受信された道路交通情報を他の自動車搭載道路状況監視装置と道路交通情報管理装置とに送信する道路交通情報送信手段１４０と、を有する。
【０００９】
これにより、道路交通情報消去手段により、道路交通情報蓄積手段に蓄積された道路交通情報が消去されるため、情報を記憶する記憶媒体の容量が不足することを防ぐことが可能となる。
【００１０】
また、本発明の自動車搭載道路状況監視装置における道路交通情報は、
道路交通情報管理装置及び自動車搭載道路状況監視装置のうち少なくとも一方から受信した受信回数を示す受信回数情報を含み、
道路交通情報受信手段１１０は、
道路交通情報を受信した際に、受信回数情報を更新する手段を含み、
道路交通情報選択手段１２０は、
所定数を超えた受信回数を示す受信回数情報を含んだ道路交通情報を道路交通情報蓄積手段１１１の道路交通情報から選択する手段を含む。
【００１１】
これにより、道路交通情報蓄積手段に蓄積された情報を受信された回数に応じて消去するため、情報が古くなった道路交通情報を廃棄することができ、さらに容量が不足することを防ぐことが可能となる。
【００１２】
また、本発明の自動車搭載道路状況監視装置における道路交通情報生成手段１３１は、
道路交通情報を生成する際に、道路交通情報を生成した時刻を示す生成時刻情報を道路交通情報に含める手段を含み、
道路交通情報選択手段１２０は、
時計を有し、時計に示される現在時刻から所定時間以前の時刻を示す生成時刻情報を含む道路交通情報を道路交通情報蓄積手段１１１の道路交通情報から選択する手段を含む。
【００１３】
これにより、道路交通情報蓄積手段に蓄積された情報を生成された時刻に応じて消去するため、情報が古くなった道路交通情報を廃棄することができ、さらに、容量が不足ことを防ぐことが可能となる。
【００１４】
また、本発明の自動車搭載道路状況監視装置における道路交通情報受信手段１１０は、
道路交通情報を受信した際に、位置情報生成手段１３０において生成された自動車位置情報を受信された道路交通情報に含める手段を含み、
道路交通情報選択手段１２０は、
位置情報生成手段１３０で生成された自動車位置情報に示される位置との間の距離が所定の距離を超える位置を示す自動車位置情報を含む道路交通情報を道路交通情報蓄積手段１１１の道路交通情報から選択する手段を含む。
【００１５】
これにより、道路交通情報蓄積手段に蓄積された情報を受信した位置からの距離に応じて消去するため、情報が古くなった道路交通情報を廃棄することができ、さらに容量が不足ことを防ぐことが可能となる。
【００１６】
また、本発明の自動車搭載道路状況監視装置における道路交通情報は、
画像情報、文字情報及び音声情報のうち少なくとも１つの情報を含む付加情報を更に含み、
道路交通情報に含まれた付加情報を出力する付加情報出力手段１５０を更に有する。
【００１７】
これにより、付加情報が付加された道路交通情報を受信できるため、道路交通情報に付加価値を与えることができる。
【００１８】
また、本発明の自動車搭載道路状況監視装置は、
自動車搭載道路状況管理装置を識別するための識別情報を格納する識別情報格納手段１６０と、
道路交通情報に対応させて課金の額を示す課金情報を格納する課金情報格納手段１６１と、
道路交通情報送信手段１４０から送信される道路交通情報に基づいて課金情報格納手段１６１から課金情報を取得する課金情報取得手段１６２と、
課金情報取得手段１６２で取得した課金情報に識別情報格納手段１６０に格納された識別情報を付加する識別情報付加手段１６３とを、更に有し、
道路交通情報送信手段１４０は、
道路交通情報を送信する際に、識別情報付加手段１６３で識別情報が付加された課金情報を送信する手段を含む。
【００１９】
これにより、道路交通情報を送信した自動車搭載道路状況監視装置の登録者は、道路交通情報を送信したことによる対価の支払いを受けることが可能となる。
また、本発明の自動車搭載道路状況監視装置は、
道路交通情報の送信元を示す識別情報及び道路交通情報に対応する課金の額を含む課金情報を格納する被課金情報格納手段１７０と、
被課金情報格納手段１７０に格納された課金情報を以て決済処理を行う決済手段１７１とを更に有し、
道路交通情報受信手段１１０は、
道路交通情報を受信する際に、課金情報を併せて受信し、被課金情報格納手段１７０に受信した課金情報を格納する手段を含む。
【００２０】
これにより、道路交通情報を受信した自動車搭載道路状況監視装置の登録者は、道路交通情報を受信したことによる対価の支払い及び対価を受けることができる。
【００２１】
図２は、本発明の第２の原理構成図である。
【００２２】
本発明は、自動車に搭載されて自動車が位置する道路の状況を示す道路交通情報を生成する少なくとも１つの自動車搭載道路状況監視装置と道路交通情報の送受信を行う道路交通情報管理装置であって、
自動車搭載道路状況監視装置から送信された道路交通情報を受信する道路交通情報受信手段２１０と、
受信された道路交通情報を蓄積する道路交通情報蓄積手段２１１と
道路交通情報蓄積手段２１１に蓄積された道路交通情報のうち所定の条件を満たす道路交通情報を選択する道路交通情報選択手段２２０と、
選択された道路交通情報を道路交通情報蓄積手段２２０から消去する道路交通情報消去手段２２１と、
道路交通情報蓄積手段２１１に蓄積された道路交通情報を自動車搭載道路状況監視装置に送信する道路交通情報送信手段２４０と、を有する。
【００２３】
これにより、道路交通情報消去手段により、道路交通情報蓄積手段に蓄積された道路交通情報が消去されるため、情報を記憶する記憶媒体の容量が不足することを防ぐことが可能となる。
【００２４】
本発明の道路交通情報管理装置における道路交通情報は、
他の道路交通情報管理装置及び自動車搭載道路状況監視装置のうち少なくとも一方から受信した受信回数を示す受信回数情報を含み、
道路交通情報受信手段２１０は、
道路交通情報を受信した際に、受信回数情報を更新する手段を含み、
道路交通情報選択手段２２０は、
所定数を超えた受信回数を示す受信回数情報を含んだ道路交通情報を道路交通情報蓄積手段２１１の道路交通情報から選択する手段を含む。
【００２５】
これにより、道路交通情報蓄積手段に蓄積された情報を受信された回数に応じて消去するため、情報が古くなった道路交通情報を廃棄することができ、さらに、容量が不足することを防ぐことができる。
【００２６】
本発明の道路交通情報管理装置における道路交通情報は、
自動車搭載道路状況監視装置で生成された時刻を示す生成時刻情報を含み、
道路交通情報選択手段２２０は、
時計を有し、時計に示される現在時刻から所定時間以前の時刻を示す生成時刻情報を含む道路交通情報を道路交通情報蓄積手段２１１の道路交通情報から選択する手段を含む。
【００２７】
これにより、道路交通情報蓄積手段に蓄積された情報を生成された時刻に応じて消去するため、情報が古くなった道路交通情報を廃棄することができ、さらに、容量が不足することを防ぐことができる。
【００２８】
また、本発明の道路交通情報管理装置は、
画像情報、文字情報及び音声情報のうち少なくとも１つの情報を含む付加情報を格納する付加情報格納手段２８０と、
道路交通情報に付加情報格納手段２８０に格納された付加情報を付加する付加情報付加手段２８１と、を有し、
道路交通情報送信手段２４０は、
付加情報が付加された道路交通情報を送信する手段を含む。
【００２９】
これにより、道路交通情報に付加情報を付加して送信できるため、道路交通情報に付加価値を与えることができる。
【００３０】
また、本発明の道路交通情報管理装置は、
道路交通情報管理装置を識別するための識別情報を格納する識別情報格納手段２６０と、
道路交通情報に対応させて課金の額を示す課金情報を格納する課金情報格納手段２６１と、
道路交通情報送信手段２４０から送信される道路交通情報に基づいて、課金情報格納手段２６１から課金情報を取得する課金情報取得手段２６２と、
課金情報取得手段２６２で取得した課金情報に、識別情報格納手段２６０に格納された識別情報を付加する識別情報付加手段２６３と、を更に有し、
道路交通情報送信手段２４０は、
道路交通情報を送信する際に、識別情報付加手段２６３で識別情報が付加された課金情報を送信する手段を含む。
【００３１】
これにより、道路交通情報を送信した道路交通情報管理装置の登録者は道路交通情報を送信したことによる対価の支払い及び対価を受けることができる。
【００３２】
また、本発明の道路交通情報管理装置は、
道路交通情報の送信元を示す識別情報及び道路交通情報に対応する課金の額を含む課金情報を格納する被課金情報格納手段２７０と、
被課金情報格納手段２７０に格納された課金情報を以て決済する決済手段２７１と、を更に有し、
道路交通情報受信手段２１０は、
道路交通情報を受信する際に、課金情報を併せて受信し、被課金情報格納手段２７０に受信した課金情報を格納する手段を含む。
【００３３】
これにより、道路交通情報を受信した道路交通情報管理装置の登録者は、道路交通情報を受信したことによる対価の支払い及び対価を受けることができる。
【００３４】
【発明の実施の形態】
以下、本発明の実施の形態について、図面を参照して説明する。
【００３５】
図３は、本発明の一実施の形態における道路状況監視システムの概念図である。同図に示す道路状況監視システムは、自動車搭載道路状況監視装置１００及び道路交通情報管理装置２００から構成される。
【００３６】
自動車搭載道路状況監視装置１００は、道路１０を走行する自動車２に搭載され、自動車２が位置する道路１０の状況を示す情報を送信する。
【００３７】
送信された自動車２が位置する道路１０の状況を示す情報は、他の自動車搭載道路状況監視装置１００及び道路交通情報管理装置２００で受信される。
【００３８】
道路交通情報管理装置２００は、自動車搭載道路状況監視装置１００から送信された道路１０の状況を示す情報を受信して蓄積する。
【００３９】
道路交通情報管理装置２００において蓄積された道路１０の状況を示す情報は、道路交通情報管理装置２００周辺に位置する自動車搭載道路状況監視装置１０及び道路交通情報管理装置２００に送信される。
【００４０】
このように、道路状況監視システムでは、各自動車２により得られた道路１０の状況を示す情報を他の自動車２と共有することができるものである。
【００４１】
最初に、自動車搭載道路状況監視装置１００について説明する。
【００４２】
図４は、本発明の一実施の形態における自動車搭載道路状況監視装置の構成を示す。
【００４３】
自動車搭載道路状況監視装置１００は、道路交通情報受信部１１０、道路交通情報蓄積部１１１、位置情報指定部１１２、道路状況出力情報生成部１１３、道路状況出力部１１４、道路交通情報選択部１２０、道路交通情報消去部１２１、位置情報生成部１３０、道路交通情報生成部１３１、道路交通情報送信部１４０、付加情報出力部１５０、識別情報格納部１６０、課金情報格納部１６１、課金情報取得部１６２、識別情報付加部１６３、被課金情報格納部１７０及び、決済部１７１から構成される。
【００４４】
道路交通情報受信部１１０は、他の自動車搭載道路状況監視装置１００または、道路交通情報管理装置２００から送信された道路交通情報を受信し、受信した道路交通情報に、受信した経歴を示す経歴情報を付加し、経歴情報が付加された道路交通情報を道路交通情報蓄積部１１１、道路交通情報送信部１４０及び付加情報出力部１５０に出力する。
【００４５】
ここで、道路交通情報とは、所定位置の道路の状況を示す情報であって、北緯及び東経からなる自動車位置情報、当該道路交通情報が生成された時刻を示す生成時刻情報、自動車２の進路方向を示す進路方向情報、当該道路交通情報を生成した時刻から所定時間前までの自動車２の平均速度を示す平均速度情報、当該道路交通情報を生成した時刻から所定時間前までの自動車２の対向車の平均速度を示す平均対向車速度情報及び当該道路交通情報を生成した時刻から所定時間前までに通過した対向車数を示す対向車数情報から構成されている。さらに、道路交通情報には、経歴情報及び後述する付加情報が含まれる。
【００４６】
なお、経歴情報は、自動車搭載道路状況監視装置１００または、道路交通情報管理装置２００で受信した累積回数を示す受信回数情報、道路交通情報受信部１１０で受信した時の自動車２の位置を示す自動車位置情報及び道路交通情報が生成された時刻を示す生成時刻情報よりなる。ここで、道路交通情報受信部１１０が経歴情報に付加する情報は、受信回数情報及び自動車位置情報であり、このうち、自動車位置情報は、位置情報生成部１３０によって生成され、道路交通情報にすでに付加されている。
【００４７】
また、道路交通情報受信部１１０は、道路交通情報受信時に、当該道路交通情報に対応する課金情報を受信した場合には、受信した課金情報を被課金情報格納部１７０に出力する。
【００４８】
ここで、課金情報とは、道路交通情報の送信元の装置を示す識別情報及び道路交通情報に対応する課金の額を含んでいる。
【００４９】
道路交通情報蓄積部１１１は、記憶媒体で構成され、道路交通情報受信部１１０から入力された道路交通情報を格納する。
【００５０】
位置情報指定部１１２は、地図を表示する等して監視する位置を指定し、指定した位置を示す指定位置情報を生成し、生成した指定位置情報を道路状況出力情報生成部１１３に出力する。
【００５１】
道路状況出力情報生成部１１３は、位置情報指定部１１２から入力された指定位置情報に基づいて道路交通情報蓄積部１１１に格納された道路交通情報を総合して画像情報、文字情報及び音声情報のうち少なくとも１つの道路状況出力情報を生成し、生成された道路状況出力情報を道路状況出力部１１４に出力する。
【００５２】
道路状況出力部１１４は、ディスプレイ装置及びスピーカ装置等の道路状況出力情報が出力可能な装置で構成され、道路状況出力情報生成部１１３から入力された道路状況出力情報を以て画像、文字及び音声のうち少なくとも１つを出力する。
【００５３】
道路交通情報選択部１２０は、道路交通情報蓄積部１１１に格納された道路交通情報のうち、所定の条件を満たす経歴情報を有する道路交通情報を選択し、道路交通情報蓄積部１１１における選択された道路交通情報の格納アドレス値を示すアドレス情報を生成し、生成されたアドレス情報を道路交通情報消去部１２１に出力する。
【００５４】
ここで、所定の条件は、
・経歴情報に含まれる受信回数情報が所定数を超えているか否か；
・経歴情報に含まれる生成時刻情報が内部に有した時計が示す時刻より所定時間以前の時刻を示しているか否か；
・経歴情報に含まれる自動車位置情報に示される位置と位置情報生成部１３０で生成された自動車位置情報に示される位置との間の距離が所定の距離を超えているか否か；
の３つの条件うち少なくとも１つの条件である。
【００５５】
道路交通情報消去部１２１は、道路交通情報選択部１２０からアドレス情報が入力されると、道路交通情報蓄積部１１１において入力されたアドレス情報に示される格納アドレス値に格納されている道路交通情報を消去する。
【００５６】
道路交通情報消去部１２１により、情報が古くなった道路交通情報を廃棄することができ、さらに、道路交通情報蓄積部１１１の容量が不足することを防ぐことができる。
【００５７】
位置情報生成部１３０は、汎地球測位システム（Ｇｌｏｂａｌ  Ｐｏｓｉｔｉｏｎｉｎｇ  Ｓｙｓｔｅｍ  （ＧＰＳ））  等の位置情報を取得する装置によって構成され、取得された位置情報、即ち、自動車位置情報を道路交通情報生成部１３１に出力する。
【００５８】
道路交通情報生成部１３１は、位置情報生成部１３０から自動車位置情報が入力されると、自動車位置情報と図示しない各種センサによって取得された進路方向情報、平均速度情報、平均対向車速度情報及び対向車情報とを用いて道路交通情報を生成し、生成された道路交通情報を道路交通情報送信部１４０に出力する。
【００５９】
道路交通情報送信部１４０は、道路交通情報受信部１１０及び道路交通情報生成部１３１から道路交通情報が入力されると、入力された道路交通情報を他の自動車搭載道路状況監視装置１００及び道路交通情報管理装置２００に送信する。なお、道路交通情報生成部１３１から出力された道路交通情報と共に識別情報付加部１６３から出力された課金情報が入力された場合には、道路交通情報送信部１４０は、道路交通情報を送信する際に入力された課金情報も送信する。
【００６０】
付加情報出力部１５０は、道路交通情報受信部１１０から道路交通情報が入力されると、入力された道路交通情報に付加情報が含まれている場合には、入力された道路交通情報に含まれる付加情報を道路状況出力部１１４を構成するディスプレイ装置及びスピーカ装置を介して、画像、文字及び音声を以て出力する。
【００６１】
ここで、付加情報には、画像情報、文字情報及び音声情報のうち少なくとも１つの情報によって構成され、道路交通情報の送信元である道路交通情報管理装置２００で付加された広告等の情報が含まれる。
【００６２】
なお、付加情報出力部１５０は、道路交通情報受信部１１０から出力された道路交通情報に付加された付加情報を出力するのに加えて、道路状況出力情報生成部１１３で取得した道路交通情報に付加された付加情報を出力するようにしてもよい。
【００６３】
識別情報格納部１６０は、書き込みが禁止された不揮発性の記憶媒体により構成され、自動車搭載道路状況監視装置１００固有に割り当てられた識別情報を予め格納する。
【００６４】
課金情報格納部１６１は、不揮発性の記憶媒体で構成され、道路交通情報の種別に対応させて課金の額を示す課金情報を格納する。
【００６５】
課金情報取得部１６２は、課金情報格納部１６１に格納された課金情報から、道路交通情報生成部１３１で生成された道路交通情報に対応した課金情報を取得し、当該課金情報が取得できた際には、取得された課金情報を識別情報付加部１６３に出力する。
【００６６】
識別情報付加部１６３は、課金情報取得部１６２から課金情報が入力されると、入力された課金情報に課金情報格納部１６１に格納された識別情報を付加し、識別情報を付加した課金情報を道路交通情報送信部１４０に出力する。
【００６７】
被課金情報格納部１７は、道路交通情報受信部１１０から課金情報が入力されると、入力された課金情報を格納する。
【００６８】
決済部１７１は、被課金情報格納部１７０に格納された課金情報に基づいて決済処理を行う。ここで、決済処理は、例えば、所定の金融機関に識別情報格納部１６０に格納された識別情報と共に、課金情報を道路交通情報送信部１４０を介して送信し、課金情報が送信された金融機関が、送信された識別情報と課金情報に基づいて行う。
【００６９】
道路交通情報に課金することによって、道路交通情報を受信した自動車搭載道路状況監視装置１００の識別情報格納部１６０に格納された識別情報に対応して、前述した金融機関に登録された者、即ち、登録者は、道路交通情報を受信することによって対価の支払い及び対価を受けることができ、逆に、道路交通情報を送信した自動車搭載道路状況監視装置１００の登録車は、道路交通情報を送信することによる対価の支払いを受けることができる。
【００７０】
以下に、自動車搭載道路状況監視装置１００の動作を説明する。
【００７１】
図５は、本発明の一実施の形態における自動車搭載道路状況監視装置の道路情報受信時の動作のフローチャートである。
【００７２】
まず、他の自動車搭載道路状況監視装置１００または、道路交通情報管理装置２００から送信された道路交通情報を道路交通情報受信部１１０が受信する（ステップ４１０）。
【００７３】
次に、受信した道路交通情報と共に、課金情報を受信したか否かを判断し（ステップ４２０）、受信した道路交通情報と共に課金情報を受信した場合には、被課金情報格納部１７０に課金情報を格納する（ステップ４３０）。
【００７４】
次に、被課金情報格納部１７０に格納された課金情報を以て決済処理を行うか否かを判断し（ステップ４４０）、決済すると判断した場合には、決済部１７１が決済処理を行う（ステップ４５０）。
【００７５】
次に、道路交通情報受信部１１０が、受信した道路交通情報を道路交通情報蓄積部１１１に蓄積する（ステップ４６０）。なお、道路交通情報蓄積部１１１に蓄積された道路交通情報のうち、所定の条件を満たす経歴情報を有する道路交通情報が道路交通情報選択部１２０で選択されると、道路交通情報消去部１２１は、選択された道路交通情報を消去する。
【００７６】
次に、道路交通情報受信部１１０が受信した道路交通情報に付加情報が付加されている場合には、付加情報出力部１５０は、付加情報を出力する（ステップ４７０）。
【００７７】
位置情報指定部１１２から指定位置情報が入力された場合（ステップ４８０）には、道路状況出力情報生成部１１３は、道路交通情報蓄積部１１１に格納されている道路交通情報を総合し、画像情報、文字情報及び音声情報のうち少なくとも１つの道路状況出力情報を生成し、生成した道路状況出力情報に基づいて指定された道路の状況を画像、文字及び音声のうち少なくとも１つを以て出力する（ステップ４９０）。
【００７８】
次に、自動車搭載道路状況監視装置１００の道路状況出力情報生成時の動作を説明する。
【００７９】
まず、位置情報生成部１３０が自動車位置情報を生成し、道路交通情報生成部１３１において、当該自動車位置情報と各種センサから取得した進路方向情報、平均速度情報、平均対向車速度情報及び対向車数情報とに基づいて道路交通情報を生成する。
【００８０】
生成された道路交通情報及び道路交通情報受信部１１０が受信した道路交通情報は、道路交通情報送信部１４０が他の自動車搭載道路状況監視装置１００または、道路交通情報管理装置２００に送信する。
【００８１】
なお、生成された道路交通情報に課金する場合には、課金情報取得部１６２が、生成された道路交通情報に基づいた課金情報が課金情報格納部１６１から取得し、識別情報付加部１６３が、取得した課金情報に識別情報格納部１６０に格納されている識別情報を付加し、道路交通情報送信部１４０が道路交通情報を送信される装置に対して送信する。
【００８２】
図６は、本発明の一実施の形態における道路交通情報管理装置の構成を示す。道路交通情報管理装置２００は、道路交通情報受信部２１０、道路交通情報蓄積部２１１、道路交通情報選択部２２０、道路交通情報消去部２２１、道路交通情報送信部２４０、識別情報格納部２６０、課金情報格納部２６１、課金情報取得部２６２、識別情報付加部２６３、被課金情報格納部２７０、決済部２７１、付加情報格納部２８０、及び付加情報付加部２８１から構成される。
【００８３】
道路交通情報受信部２１０は、自動車搭載道路状況監視装置１００または、他の道路交通情報管理装置２００から送信された道路交通情報を受信し、受信した道路交通情報に受信した経歴を示す経歴情報を付加し、経歴情報が付加された道路交通情報を道路交通情報蓄積部２１１に出力する。ここで、道路交通情報受信部２１０が経歴情報に受信回数情報を付加してもよい。なお、道路交通情報には、自動車搭載道路状況監視装置１００により自動車位置情報が付加されているものとする。
【００８４】
また、道路交通情報受信部２１０は、道路交通情報受信時に当該道路交通情報に対応した課金情報を併せて受信した場合には、受信した課金情報を被課金情報格納部２７０に出力する。
【００８５】
道路交通情報受信部２１０から出力された道路交通情報は、道路交通情報蓄積部２１１に入力される。道路交通情報蓄積部２１１は、記憶媒体で構成され、入力された道路交通情報を格納する。
【００８６】
道路交通情報選択部２２０は、道路交通情報蓄積部２１１に格納された道路交通情報のうち、所定の条件を満たす経歴情報を有する道路交通情報を選択し、道路交通情報蓄積部２１１における選択された道路交通情報の格納アドレス値を示すアドレス情報を生成し、生成されたアドレス情報を道路交通情報消去部２２１に出力する。
【００８７】
ここで、所定の条件は、経歴情報に含まれる受信回数情報が所定数を超えているか否か、経歴情報に含まれる生成時刻情報が内部に有する時計が示す時刻より所定時間以前の時刻を示しているか否かの２つの条件のうち、少なくとも１つの条件である。
【００８８】
道路交通情報消去部２２１は、道路交通情報選択部２２０から出力されたアドレス情報が入力されると、入力されたアドレス情報に示されるアドレスに格納されている道路交通情報を消去する。
【００８９】
道路交通情報消去部２２１によって、古くなった道路交通情報を廃棄することができ、さらに、道路交通情報蓄積部２１１の容量が不足することを防止することができる。
【００９０】
道路交通情報送信部２４０は、道路交通情報蓄積部２１１に蓄積された道路交通情報を付加情報付加部２８１を介して取得し、取得した道路交通情報を自動車搭載道路状況監視装置１００及び他の道路交通情報管理装置２００に送信する。識別情報格納部２６０は、書き込み不可能な不揮発性の記憶媒体で構成され、道路交通情報管理装置２００固有に割り当てられた識別情報を予め格納する。
【００９１】
課金情報格納部２６１は、不揮発性の記憶媒体で構成され、道路交通情報の種別に対応させて課金の額を示す課金情報を格納する。
【００９２】
課金情報取得部２６２は、課金情報格納部２６１に格納された課金情報から、道路交通情報送信部２４０から送信される道路交通情報に対応した課金情報を取得し、当該課金情報が取得できた場合には、取得した課金情報を識別情報付加部２６３に出力する。
【００９３】
識別情報付加部２６３は、課金情報取得部２６２から課金情報が入力されると、入力された課金情報に識別情報格納部２６０に格納されている識別情報を付加し、識別情報を付加した課金情報を道路交通情報送信部２４０に出力する。
【００９４】
被課金情報格納部２７０は、道路交通情報受信部２１０から課金情報が入力されると、入力された課金情報を格納する。
【００９５】
決済部２７１は、被課金情報格納部２７０に格納された課金情報に基づいて決済処理を行う。ここで、決済処理とは、例えば、所定の金融機関に識別情報格納部２６０に格納された識別情報と共に課金情報を道路交通情報送信部２４０を介して送信し、課金情報を送信された金融機関が、送信された識別情報と課金情報に基づいて決済を行う。
【００９６】
このように、道路交通情報に課金することによって、道路交通情報を受信した道路交通情報管理装置２００の識別情報格納部２６０に格納された識別情報に対応して前述した金融機関に登録された者、即ち登録者は、道路交通情報を受信することによって対価の支払い及び対価を受けることができ、逆に、道路交通情報を送信した道路交通情報管理装置２００の登録者は、道路交通情報を送信することによる対価の支払い及び対価を受けることができる。
【００９７】
付加情報格納部２８０は、不揮発性の記憶媒体で構成され、送信する道路交通情報に付加する付加情報を予め格納するようになっている。ここで、付加情報格納部２８０に格納される付加情報は、図示しないコンピュータ装置や、音響装置等の入力手段により格納されるようにしてもよいし、付加情報格納部２８０が道路交通情報管理装置２００と着脱可能な記憶媒体で構成されてもよい。
【００９８】
付加情報付加部２８１は、付加情報格納部２８０に付加情報が格納されている場合には、道路交通情報送信部２４０が道路交通情報蓄積部２１１に蓄積された道路交通情報を取得する際に、取得される道路交通情報に付加情報格納部２８０に格納されている付加情報を付加する。
【００９９】
以下、道路交通情報管理装置２００の動作を説明する。
【０１００】
図７は、本発明の一実施の形態における道路交通情報管理装置の道路交通情報蓄積時の動作のフローチャートである。
【０１０１】
まず、自動車搭載道路状況監視装置１００または、他の道路交通情報管理装置２００から送信された道路交通情報を道路交通情報受信部２１０が受信する（ステップ５１０）。
【０１０２】
次に、受信した道路交通情報と共に課金情報を受信したか否かを判断し（ステップ５２０）、道路交通情報と共に課金情報を受信した場合には、被課金情報格納部２７０に当該課金情報を格納する（ステップ５３０）。
【０１０３】
次に、被課金情報格納部２７０に格納された課金情報を以て決済処理をするか否かを判断し（ステップ５４０）、決済すると判断した場合には、決済部２７１において決済処理を行う（ステップ５５０）。
【０１０４】
次に、道路交通情報受信部２１０が受信した道路交通情報を道路交通情報蓄積部２１１に蓄積する（ステップ５６０）。なお、道路交通情報蓄積部２２１に蓄積された道路交通情報のうち、道路交通情報選択部２２０が、所定の条件を満たす経歴情報を有する情報交通情報を選択し、道路交通情報消去部２２１が当該情報を消去する。
【０１０５】
図８は、本発明の一実施の形態における道路交通情報管理装置の道路交通情報送信時の動作のフローチャートである。
【０１０６】
まず、道路交通情報送信部２４０は、道路交通情報蓄積部２１１に格納された道路交通情報を取得する（ステップ６１０）。
【０１０７】
次に、付加情報格納部２８０に付加情報が格納されている場合（ステップ６２０）には、付加情報付加部２８１が付加情報を取得し、道路交通情報送信部２４０が当該付加情報を道路交通情報に付加する（ステップ６３０）。
【０１０８】
次に、道路交通情報送信部２４０が、取得した道路交通情報を自動車搭載道路状況監視装置１００または、他の道路交通情報管理装置２００に送信する（ステップ６４０）。
【０１０９】
道路交通情報送信部２４０から送信される道路交通情報に課金する場合（ステップ６５０）には、課金情報取得部２６２が、道路交通情報に基づいた課金情報を課金情報格納部２６１から取得し、識別情報付加部２６３が、当該課金情報に識別情報格納部２６０に格納されている識別情報を当該課金情報に付加し、道路交通情報送信部２４０から識別情報が付加された課金情報が道路交通情報と共に、道路交通情報が送信される装置に送信する（ステップ６６０）。
【０１１０】
なお、本発明は上記の実施の形態に限定されることなく、特許請求の範囲内において、種々変更・応用が可能である。
【０１１１】
【発明の効果】
上述のように、自動車搭載道路状況監視装置及び道路交通情報管理装置に、それぞれ道路交通情報消去部を設けたことで、道路交通情報蓄積部のそれぞれを構成する記憶媒体に蓄積された情報のうち古くなった道路交通情報を廃棄することができ、当該記憶媒体の容量が不足することを防ぐことができる。
【０１１２】
また、自動車搭載道路状況監視装置及び道路交通情報管理装置に、それぞれ付加情報付加部を設けたことにより、道路交通情報に付加情報を付加でき、道路交通情報に付加価値を与えることができる。
【０１１３】
また、道路交通情報を送受信する際に、課金情報も送受信されるため、自動車搭載道路状況監視装置及び道路交通情報管理装置の利用者は、道路交通情報を送受信したことによる、対価の支払い及び対価を受けることができる。
【図面の簡単な説明】
【図１】本発明の第１の原理構成図である。
【図２】本発明の第２の原理構成図である。
【図３】本発明の一実施の形態における道路状況監視システムの概念図である。
【図４】本発明の一実施の形態における自動車搭載道路状況監視装置の構成図である。
【図５】本発明の一実施の形態における自動車搭載道路状況監視装置の道路情報受信時の動作のフローチャートである。
【図６】本発明の一実施の形態における道路交通情報管理装置の構成図である。
【図７】本発明の一実施の形態における道路交通情報管理装置の道路交通情報蓄積時の動作のフローチャートである。
【図８】本発明の一実施の形態における道路交通情報管理装置の道路情報送信時の動作のフローチャートである。
【符号の説明】
２  自動車
１０  道路
１００  自動車搭載道路状況監視装置
１１０  道路交通情報受信手段、道路交通情報受信部
１１１  道路交通情報蓄積手段、道路交通情報蓄積部
１１２  位置情報指定手段、位置情報指定部
１１３  道路状況出力情報生成手段、道路状況出力情報生成部
１１４  道路状況出力手段、道路状況出力部
１２０  道路交通情報選択手段、道路交通情報選択部
１２１  道路交通情報消去手段、道路交通情報消去部
１３０  位置情報生成手段、位置情報生成部
１３１  道路交通情報生成手段、道路交通情報生成部
１４０  道路交通情報送信手段、道路交通情報送信部
１５０  付加情報出力手段、付加情報出力部
１６０  識別情報格納手段、識別情報格納部
１６１  課金情報格納手段、課金情報格納部
１６２  課金情報取得手段、課金情報取得部
１６３  識別情報付加手段、識別情報付加部
１７０  被課金情報格納手段、被課金情報格納部
１７１  決済手段、決済部
２００  道路交通情報管理装置
２１０  道路交通情報受信手段、道路交通情報受信部
２１１  道路交通情報蓄積手段、道路交通情報蓄積部
２２０  道路交通情報選択手段、道路交通情報選択部
２２１  道路交通情報消去手段、道路交通情報消去部
２４０  道路交通情報送信手段、道路交通情報送信部
２６０  識別情報格納手段、識別情報格納部
２６１  課金情報格納手段、課金情報格納部
２６２  課金情報取得手段、課金情報取得部
２６３  識別情報付加手段、識別情報付加部
２７０  被課金情報格納手段、被課金情報格納部
２７２  決済手段、決済部
２８０  付加情報格納手段、付加情報格納部
２８１  付加情報付加手段、付加情報付加部
【図１】
2004220287.tif 000003
【図２】
2004220287.tif 000004
【図３】
2004220287.tif 000005
【図４】
2004220287.tif 000006
【図５】
2004220287.tif 000007
【図６】
2004220287.tif 000008
【図７】
2004220287.tif 000009
【図８】
2004220287.tif 000010